(57)【要約】【課題】  メダルを投入口へ向けて移動させる際、メダルの整列が簡単にずれることなく、メダルを確実に１枚ずつ投入させうるようにする。【解決手段】  ガイド凹溝３１の相対する両側面にそれぞれ設けられている側部ガイド面３１ｂ、３１ｃを、ガイド凹溝３１にメダル３３を起立させた状態で、メダル３３の外周が両側部ガイド面３１ｂ、３１ｃに接触し、かつガイド凹溝３１の底面３１ａに接触しないように、ガイド凹溝３１の左右方向の開口幅が上広がりになるように傾斜させる。  【選択図】図４
2006006910.tif 000002
【特許請求の範囲】
【請求項１】
被取付体の前面に設けられた前後方向を向くガイド凹溝に、円板状のメダルを直径方向が左右方向を向くように起立させた状態で、後方へ押し込むことにより、前記ガイド凹溝の後端部に設けられた投入口から、前記被取付体の内部へ前記メダルを投入させるようにしたメダル投入装置において、
前記ガイド凹溝の相対する両側面にそれぞれ設けられている側部ガイド面を、前記ガイド凹溝に前記メダルを起立させた状態で、前記メダルの外周が前記両側部ガイド面に接触し、かつ前記ガイド凹溝の底面に接触しないように、前記ガイド凹溝の左右方向の開口幅が上広がりになるように傾斜させたことを特徴とするメダル投入装置。
【請求項２】
ガイド凹溝を前部が後部より被取付体の中央寄りになるように、左右いずれかの方向に傾けるとともに、左右の両側部ガイド面のうち、前記ガイド凹溝を傾けた側に位置する一方の側部ガイド面の水平面に対する傾斜角度を、他方の側部ガイド面の水平面に対する傾斜角度よりも大としたことを特徴とする請求項１記載のメダル投入装置。
【請求項３】
側部ガイド面を平坦面としたことを特徴とする請求項１または２記載のメダル投入装置。
【請求項４】
ガイド凹溝の底面を、メダルの半径より小さい半径の円弧状としたことを特徴とする請求項１〜３いずれかに記載のメダル投入装置。
【請求項５】
ガイド凹溝を、前部より後部が高くなるように傾斜させたことを特徴とする請求項１〜４のいずれかに記載のメダル投入装置。
【発明の詳細な説明】
【技術分野】
【０００１】
本発明は、遊技機等において、メダルを被取付体の内部へ投入させるためのメダル投入装置に関する。
【背景技術】
【０００２】
例えば、遊技媒体としてメダルを使用する遊技機（スロットマシン）においては、被取付体をなす遊技機の前面右側にメダル投入装置を設けてある。遊技者は、遊技機に向きあった姿勢で、右手でメダル投入装置に複数枚のメダルを載せた状態で、メダルを後方に押し込むことにより、投入口からメダルを１枚ずつ遊技機に投入させるようになっている。
【０００３】
従来、この種のメダル投入装置として、メダルを投入口へ向けて誘導可能な上広がりの案内溝を設け、この案内溝の後部に投入口を設けたものがある。この案内溝は、溝幅中央が最も低くなるように、左右対称のなだらかな曲面の溝側面を形成したものである（例えば、特許文献１参照）。
また、案内溝の上端の高さを、左側より右側を低くした構造のものもある（例えば、特許文献２参照）。
【特許文献１】特開平７−２７５４３５号公報
【特許文献２】特開平２００３−７０９７９号公報
【発明の開示】
【発明が解決しようとする課題】
【０００４】
上記の特許文献１に記載されているメダル投入装置は、案内溝にメダルを起立状態で載せた状態で、投入口へ向けて押し込むとき、メダルの下部周縁を案内溝の底面及び左右の溝側面に接触した状態で誘導するようになっている。しかしながら、案内溝は、メダルの下部周縁を保持する程度の浅い溝（深くするとメダルとの摩擦抵抗が大きくなり、メダルを移動させにくい）であるため、メダル周縁を確実に保持することができない。そのため、メダルを投入口に向けて移動させるとき、メダルが横方向にずれようとする力が働くと、メダルの整列状態が簡単にずれてしまい、メダルを投入口に確実に１枚ずつ投入させることができないという問題がある。
【０００５】
また、特許文献２に記載されているメダル投入装置においては、案内溝の上端の高さを、左側より右側を低くしたことにより、右手の操作でメダルを移動させやすい利点はあるが、やはり、特許文献１のものと同様、メダルの整列状態が簡単にずれてしまうという問題は解消されていない。
【０００６】
本発明は、上述のような従来の課題を解決するためになされたもので、その目的は、メダルを投入口へ向けて移動させる際、メダルの整列が簡単にずれることなく、メダルを確実に１枚ずつ投入させうるようにしたメダル投入装置を提供することにある。
【課題を解決するための手段】
【０００７】
本発明によると、上記課題は、次のようにして解決される。
（１）被取付体の前面に設けられた前後方向を向くガイド凹溝に、円板状のメダルを直径方向が左右方向を向くように起立させた状態で、後方へ押し込むことにより、前記ガイド凹溝の後端部に設けられた投入口から、前記被取付体の内部へ前記メダルを投入させるようにしたメダル投入装置において、前記ガイド凹溝の相対する両側面にそれぞれ設けられている側部ガイド面を、前記ガイド凹溝に前記メダルを起立させた状態で、前記メダルの外周が前記両側部ガイド面に接触し、かつ前記ガイド凹溝の底面に接触しないように、前記ガイド凹溝の左右方向の開口幅が上広がりになるように傾斜させる。
【０００８】
（２）上記(１)項において、ガイド凹溝を前部が後部より被取付体の中央寄りになるように、左右いずれかの方向に傾けるとともに、左右の両側部ガイド面のうち、前記ガイド凹溝を傾けた側に位置する一方の側部ガイド面の水平面に対する傾斜角度を、他方の側部ガイド面の水平面に対する傾斜角度よりも大とする。
【０００９】
（３）上記(１)または(２)項において、側部ガイド面を平坦面とする。
【００１０】
（４）上記(１)〜(３)項のいずれかにおいて、ガイド凹溝の底面を、メダルの半径より小さい半径の円弧状とする。
【００１１】
（５）上記(１)〜(４)項のいずれかにおいて、ガイド凹溝を、前部より後部が高くなるように傾斜させる。
【発明の効果】
【００１２】
本発明によると、次のような効果を奏することができる。
（ａ）請求項１記載の発明によると、メダルを、その外周が両側部ガイド面のみに接触した２点接触の状態でガイド凹溝に保持するため、メダルを投入口に向けて移動させる際の摺動抵抗を小さくすることができ、メダルの整列が簡単にずれることなく、メダルを投入口に向けて円滑に移動させることができる。この結果、メダルを確実に一枚ずつ投入口に投入させることができる。
【００１３】
（ｂ）請求項２記載の発明によると、請求項１に係わる発明の効果に加えて、メダルを投入口に向けて押し込む際、メダルの外周が、傾きが大きい方の側部ガイド面に押し付けられるように誘導されるため、メダルを投入口へ向けて確実に誘導させることができる。
【００１４】
（ｃ）請求項３記載の発明によると、請求項１または２に係わる発明の効果に加えて、メダルを投入口に向けて押し込む際の摺動抵抗がより小さくなり、メダルを投入口に向けてより円滑に移動させることができる。
【００１５】
（ｄ）請求項４記載の発明によると、請求項１〜３のいずれかに係わる発明の効果に加えて、ガイド凹溝の深さが大きくならず、メダル投入装置の小型化を図ることができる。
【００１６】
（ｅ）請求項５記載の発明によると、請求項１〜４のいずれかに係わる発明の効果に加えて、ガイド凹溝に載せたメダルを前のめりの姿勢で投入口へ向けて押し込むことができるので、メダルが後方へ倒れることがなく、メダルを投入口に向けて確実に移動させることができる。
【発明を実施するための最良の形態】
【００１７】
以下、本発明の一実施形態を、図面に基づいて説明する。
図１は、本発明のメダル投入装置の一実施形態を適用した遊技機（スロットマシン）の正面図である。なお、以下の説明では、図１における紙面の手前方向を遊技機の前方、紙面の奥方向を同じく後方、紙面左方を同じく左側、紙面右方を同じく右側とする。
【００１８】
遊技機(１)は、遊技媒体を円板状のメダル（コインを含む）とし、このメダルを、被取付体をなす筐体(２)の前面に設けた前扉(2a)の右側に設けられた後述のメダル投入装置(６)に投入することにより、所定のゲームが行われるものである。筐体(２)内には、外周面に複数種類の図柄が付記された３個の回胴体(3a)を内蔵した図柄表示装置(３)、各装置を制御するための制御基板、照明装置、及び音響装置、並びにその他の装置等が収容されている。
【００１９】
また、前扉(2a)の前面側には、上方から、図柄表示装置(３)の図柄を視認可能な表示窓(2b)、図柄表示装置(３)の入賞有効ラインを表示する表示ランプ(４)、入賞有効ライン上に並ぶ図柄が予め定められた組み合わせになったときに発生する入賞時のメダルの払い出し枚数等を表示する表示器(５)、メダルを１枚ずつ遊技機(１)内に投入可能な、本発明に係わるメダル投入装置(６)、各種操作スイッチが配置されたスイッチ配置部(７)、払出されるメダル及び返却されるメダルの払出口(８)、払出口(８)から出てくるメダルを受け入れる受け皿(９)が、設けられている。
【００２０】
スイッチ配置部(７)には、遊技機(１)内に取り込まれたメダルの枚数を電気的に記憶しているクレジット状態のメダルを精算するときに操作される精算スイッチボタン(10)、クレジット状態のメダルを１枚ずつゲームに投資するときに操作される１枚投入スイッチボタン(11)、及び最大数の３枚をゲームに投資するときに操作されるＭＡＸベットスイッチボタン(12)、図柄表示装置(３)における各回胴体(3a)の回転を開始させるときに操作されるスタートレバー(13)、各回胴体(3a)の回転を停止させるときに操作されるストップスイッチボタン(14)、等が配置されている。
【００２１】
スロットマシンにおけるゲームは、メダル投入装置(６)に投入されたメダルを遊技機(１)の内部に取り込ませてクレジット状態として、１枚投入スイッチボタン(11)またはＭＡＸベッドスイッチボタン(12)を操作して、スタートレバー(13)を操作することによって開始される。
【００２２】
メダル投入装置(６)により投入されたメダルは、筐体(２)の内部に設けられ、かつメダル投入装置(６)の真下に配置されたメダルセレクター(15)(図６，７参照)に送出されて、メダルの真偽及び投入が検知された後、メダルセレクター(15)の下方に配置されたメダル払出ホッパ(図示略)に送出される。
【００２３】
メダルが遊技機(１)の内部に取り込まれた後、スタートレバー(13)を操作すると、３個の回胴体(3a)が一斉に回転して、ゲームが開始される。所定時間が経過した後、各回胴体(3a)に対応するストップスイッチボタン(14)を順次操作して、各回胴体(3a)の回転を個別に停止させることによって、入賞有効ライン上に並ぶ図柄の組み合わせにより、入賞の有無、及び賞の大小に応じたメダルの配当枚数が決定される。入賞した場合には、配当枚数のメダル数がクレジット数に加算されるか、または、メダルが、メダル払出ホッパにより、配当枚数分だけ払出口(８)から受け皿(９)に払い出される。
【００２４】
次に、メダル投入装置(６)について、各図に基づいて詳細に説明する。
図２は、メダル投入装置(６)の正面図、図３は、メダル投入装置(６)の平面図、図４は、図３のIV−IV線に沿う断面図、図５は、ガイド凹溝の構成を示す説明図である。なお、図２における紙面の手前方向及び図３における下方をメダル投入装置(６)の前方とし、図２における紙面の奥方向及び図３における上方をメダル投入装置(６)の後方とする。
【００２５】
図２に示すように、メダル投入装置(６)は、スイッチ配置部(７)の上面(20)の右側に取付けるとともに、投入口本体(21)と、投入口本体(21)の上面板(20)に固定するための取付部材(22)（図６〜図１２参照）とを有する。
【００２６】
投入口本体(21)は、前扉(2a)の上面板(20)上に前後方向に向けて配置されたガイド部(23)と、このガイド部(23)の後端部に上方向を向くように形成された半円板状の後壁部(24)とを有している。ガイド部(23)は、中央部上面に、縦断面略Ｕ字状をなすガイド凹溝(31)を形成し、かつガイド凹溝(31)の左右両側及び前側に、外向きに下り傾斜する側壁部(32)を設けたものである。
【００２７】
ガイド凹溝(31)の最後部で、かつ後壁部(24)の手前には、下方に開口する投入口(25)が形成されている。図４に示すように、投入口本体(21)の底部には、投入口(25)に通ずるガイド孔(26)を有する案内筒(27)が、下向きに突出されている。ガイド孔(26)は、遊技メダルセレクター(15)に設けられた受入口(15a)（図６参照）に通ずる。
【００２８】
ガイド凹溝(31)は、主に図３に示すように、前部が後部より左寄りになるように、すなわち、筐体(２)の前扉(2a)の前面に直角の直線(L4)に対して水平方向へ所定の角度(θ3)だけ傾斜し、かつ、前扉(2a)の上面(20)上に、前部側から後部の投入口(25)側に登り傾斜の状態で設けられるとともに、主に図４に示すように、正面視において、下部を形成する底面(31a)と、この底面(31a)から両側に、上広がりに傾斜して立上る側部を有する側部ガイド面(31b)(31c)とを備える断面略Ｕ字状のものである。
なお、本実施形態において、図３の左側は、メダル投入装置(６)が筐体(２)の前面右部に設けられるため、筐体(２)の中央寄り側となる。
【００２９】
図１３に示すように、投入口本体(21)を前扉(2a)に取付けた状態において、投入口(25)の前壁部の内面(25a)は、垂直面に対して前方向に微少角度(θ4)だけ傾斜した形状、すなわち、投入口(25)の入口側が僅かに前方向に広がった形状となっている。微少角度(θ4) は約２°前後であることが好ましい。
【００３０】
図５は、ガイド凹溝(31)を正面から見て輪郭線で示す説明図である。同図において、底面(31a)は(０1)を中心とする円弧状をなし、この底面(31a)の両終端点を(A1)(A2)とし、両終端点(A1)(A2)間の中点を(A0)で示してある。なお、円弧状の底面(31a)の半径は、メダル(33)の半径より小さい。
【００３１】
ガイド凹溝(31)の相対する両側面にそれぞれ設けられる側部ガイド面(31b)(31c)は、両終端点(A1)(A2)、すなわち底面(31a)における曲線の両終端点(A1)(A2)から接線方向に延びる直線（平面から見ると平坦面）となっている。ガイド凹溝(31)にメダル(33)を直径方向が左右方向に向くように起立させて載せたときのメダル(33)の円中心を(Ｏ)とすると、中点(A0)と円中心(Ｏ)を通る直線(L0)は、 円中心(Ｏ)を通る鉛直線(Ｌ)に対して微少角度(θ0)だけ左側に傾いている。
【００３２】
したがって、側部ガイド面(31b)(31c)は、直線(L0)に対しては対称的な角度となっており、鉛直線(Ｌ)に対しては非対称的な角度となっている。すなわち、左側の側部ガイド面(31b)（ガイド凹溝(31)の前後方向を水平方向へ傾けた側に位置する方の側部ガイド面）の水平面に対する傾斜角度(θb)は、右側の側部ガイド面(31a)の水平面に対する傾斜角度(θa)より大きくなる。 
【００３３】
このような構成であるため、図５に示すように、メダル(33)を直径方向が左右方向へ向くように起立させた状態で、ガイド凹溝(31)上に載せたとき、メダル(33)の外周は、正面視で直線をなす側部ガイド面(31b)(31c)の２ヶ所の点(P1)(P2)において点接触（以下、この点を接触点と呼ぶ）し、底面(31a)には接触しない。
【００３４】
ここで、メダル(33)の円中心(Ｏ)と各接触点(P1)(P2)を通る直線を、それぞれ(L1)(L2)とし、鉛直線(Ｌ)と直線(L1)及び(L2) のそれぞれのなす角度を(θ1)及び(θ2)とすると、θ２＞θ１となり、左側の接触点(P2)と右側の接触点(P1)とを結ぶ直線(L3)は、右下り傾斜した状態となる。そのため、メダル(33)は、高低差のある接触点(P1)と(P2)の２点に接触して保持されている。
【００３５】
上述により、筐体(２)の正面中央に向き合った遊技者が右手で複数枚のメダル(33)をガイド凹溝(31)に載せて後方に押し込むと、メダル(33)はガイド凹溝(31)の側部ガイド面(31b)(31c)の接触点(P1)(P2)の２点接触しつつ誘導される。
【００３６】
次に、図６〜図１３を参照してメダル投入装置の取付構造を説明する。図６は、遊技機内部の要部とメダル投入装置を後斜め上からみた分解斜視図、図７は、遊技機内部の要部とメダル投入装置を下からみた分解斜視図、図８、図９及び図１０は、それぞれ図３のVIII−VIII線、IX−IX線及びX−X線に沿う断面図、図１１は、図８のＡ方向から見た要部の拡大断面図、図１２は、取付片の斜視図、図１３は、図８におけるXIII部の拡大図である。
【００３７】
図７に示すように、投入口本体(21)の前部底面には、ねじ孔(28)（図８参照）付きの下方に突出するボス(29)が形成され、このボス(29)の前部には一体に形成された翼片(30)が突設されている。このボス(29)の下面には、翼片(30)より前方に突出するように、金属板により形成されるほぼ水平方向を向く係止板(50)が、上方を向くねじ(51)により固着される。なお、翼片(30)の下面には、突部(29a)が突出されており、この突部(29a)に係合板(50)を係止させることにより、係止板(50)をねじ止めする際、係止板(50)の回り止め機能を持たせている。
【００３８】
案内筒(27)の後面下部には、後方に突出する左右１対の突起(35)が形成され、同じく、下端縁の中央には、切欠き(36)が形成されている。突起(35)の上面は、後面に向かう下り傾斜のテーパ面(35a)となっている。
【００３９】
図６及び図７に示すように、前扉(2a)におけるスイッチ配置部(７)の上面(20)には、方形の窓孔(44)が形成され、この窓孔(44)の前縁には切欠溝(45)が形成されている。この切欠溝(45)の下側の面には１対のリブ(45a)が形成されている。上面(20)の内部下方における窓孔(44)の両側には、ねじ孔(47)付きの後方に突出する左右一対のボス(48)が、一体に形成されている。投入口本体(21)は、案内筒(27)を窓孔(44)から、また、係止片(50)を切欠溝(45)から、それぞれ前扉(2a)の内側に挿入することにより、上面(20)上にセットされる。
【００４０】
図１１及び図１２に示すように、取付部材(22)は、左右方向（図１１及び図１２における左右方向）を向く基部(22a)の両端に長さの異なる折曲部(38a)(38b)を介してフランジ部(40)を有し、基部(22a)の前面（図１１において右側の面）の下部には、後向きの段落ち部(41)が形成され、この段落ち部(41)には前向きの係止ピン(42)が突設されている。フランジ部(40)の前面には凹部(40a)が形成され、凹部(40a)の部分に前後方向に貫通する取付孔(39)が形成されている。
【００４１】
図８〜図１０に示すように、投入口本体(21)を前扉(２a)における上面(20)上に載置するとともに、翼片(30)を切欠溝(45)に係合させ、かつ係止板(50)を切欠溝(45)の下面のリブ(45a)の下側に係合させる。次いで、取付部材(22)の段落ち部(41)を、案内筒(27)の突起(35)に係合させるとともに、係止ピン(42)を案内筒(27)の切欠き(36)に係合させた状態で、取付部材(22)のフランジ部(40)の凹部(40a)をボス(48)の後端に嵌合させる（図１１参照）。この状態で、フランジ部(40)の取付孔(39)に挿入した前方に向くねじ(52)を、ボス(48)のねじ孔(47)にねじ込む。このとき、段落ち部(41)の上面と突起(35)のテーパ面(35a)とがくさび作用で係合し、段落ち部(41)の上面と係止ピン(42)との間で、突起(35)を強く挾持する。
【００４２】
ねじ(52)をボス(48)のねじ孔(47)にねじ込むことにより、投入口本体(21)は、取付部材(22)を介して前方に押され、ボス(29)の前部に形成された翼片(30)は、切欠溝(45)にはまり、切欠溝(45)の後面に強く当たる。また、切欠溝(45)の下面のリブ(45a)に係止板(50)が係合するので、投入口本体(21)は、前部において浮き上がりが止められる。
【００４３】
また、取付部材(22)と突起(35)との係合により、投入口本体(21)の後部において、浮き上がりが止められ、かつ前後の動きも止められ、投入口本体(21)は、がたつきが完全に防止される。さらに、係止ピン(42)と切欠き(36)の係合により投入口本体(21)の位置決めがなされ、正確な位置に取付けできる。
【００４４】
次に、メダル投入の動作について説明する。
遊技機(１)の前面中央に向き合って座っている遊技者は、遊技者の右側にあるガイド凹溝(31)上に、複数枚のメダル(33)を前後方向に重ねて載せた状態で、右手親指で後方へ押し込む。
【００４５】
この場合、メダル(33)は、図５における左側の側部ガイド面(31b)の接触点(P2)と右側の側部ガイド面(31c)の接触点(P1)の２点に接触した状態となるとともに、ガイド凹溝(31)が前下がりに傾斜しているので、メダル(33)には重力により手前にずり落ちようとする力が働く。
【００４６】
この状態で、メダル(33)を右手親指で投入口(25)の方向、すなわち後方に押し込んで移動させると、親指で押す方向は遊技機(１)の前面に対して直交する直線(L4)にほぼ平行の矢印Ｙ方向（図３参照）となり、また、ガイド凹溝(31)が遊技機(１)の前面に直角な直線に(L4)対して左方向に若干傾斜しているので、メダル(33)には、遊技者寄り側、具体的には傾きが大きい方の左側の側部ガイド面(31b)の面に押し付けられるような力が働く。
【００４７】
したがって、メダルを後方へ押し込むと、メダル(33)の外周が、傾きが大きい方の左側の側部ガイド面(31b)における高い位置にある接触点(P2)に強く接触しつつ投入口(25)へ向けて誘導される。これにより、メダルの整列状態が簡単にずれることなく、メダル(33)を投入口(25)へ向けて円滑に誘導させることができる。
また、ガイド凹溝(31)の底面がメダル(33)の半径より小さい半径をもって、円弧状に形成されているので、メダル(33)は底面(31a)に接触することなく、接触点(P1)(P2)の２点に接触して保持されることにより、移動時の摩擦抵抗が小さく、軽快に投入口(25)に向けて移動させることができる。
【００４８】
投入口(25)に移動してきたメダル(33)は、後壁部(24)の前面に当たることにより、投入口(25)から１枚ずつ落下する。この際、投入口(25)の前壁部の内面(25a)は、垂直面に対して前方向に微少角度(θ)だけ傾斜し、投入口(25)の入口側が僅かに前方向に広がった形状となっているので、メダル(33)がガイド凹溝(31)から投入口(25)にスムーズに入り込み、投入口(25)の入口付近で詰まることが防止できる。
投入口(25)に落下したメダル(33)は、ガイド孔(26)を通って、遊技メダルセレクター(15)の受入口(15a)に受け入れられ、遊技メダルセレクター(15)によりメダルの真偽が判別され、真のメダル(33)のみが遊技メダルホッパに投入される。
【００４９】
以上、本発明の一実施形態について説明したが、本発明の要旨を逸脱しない範囲内で、本実施形態に対して、次のような種々の変形や変更を施すことが可能である。
(ｉ)被取付体を遊技機(１)の筐体(２)に代えて、他の筐体とする。例えば、自動販売機、自動券売機等の筐体とする。
(ii)メダル投入装置(６)を、被取付体の左側に設ける。この場合には、メダル投入装置(６)は、本実施形態の取付態様に対して、左右反転するように、被取付体に取り付けられる。
(iii) 側部ガイド面(31b)(31c)は完全な平坦面でなく、多少弧状に湾曲した形状に形成する。
(iv)底面(31a)は円弧状のほか、Ｕ字状、Ｖ字状、平坦面等の形状に形成する。
【図面の簡単な説明】
【００５０】
【図１】本発明のメダル投入装置の一実施形態を適用した遊技機の正面図である。
【図２】メダル投入装置の正面図である。
【図３】メダル投入装置の平面図である。
【図４】図３のIV-IV線に沿う縦断面図である。
【図５】ガイド凹溝の構成を示す説明図である。
【図６】遊技機内部の要部とメダル投入装置を後斜め上からみた分解斜視図である。
【図７】遊技機内部の要部とメダル投入装置を後斜め下からみた分解斜視図である。
【図８】図３におけるVIII-VIII線縦断面図である。
【図９】図３におけるIX-IX線に沿う縦断面図である。
【図１０】図３におけるX-X線に沿う縦断面図である。
【図１１】図８のＡ方向から見た要部の拡大底面図である。
【図１２】取付部材の斜視図である。
【図１３】図８におけるXIII部の拡大図である。
【符号の説明】
【００５１】
(１)遊技機
(２)筐体（被取付体）
(２a)前扉
(２b)表示窓
(３)図柄表示装置
(3a)回胴体
(４)表示ランプ
(５)表示器
(６)メダル投入装置
(７)スイッチ配置部
(８)払出口
(９)受け皿
(10)精算スイッチボタン
(11)１枚投入スイッチボタン
(12)ＭＡＸベッドスイッチボタン
(13)スタートレバー
(14)ストップスイッチボタン
(15)遊技メダルセレクター
(15a)受入口
(20)上面板
(21)投入口本体
(22)取付部材
(22a)基部
(23)ガイド部
(24)後壁部
(25)投入口
(25a)内面
(26)ガイド孔
(27)案内筒
(28)ねじ孔
(29)ボス
(29a)突部
(30)翼片
(31)ガイド凹溝
(31a)底面
(31b)(31c)側部ガイド面
(32)側壁部
(33)メダル
(35)突起
(35a)テーパ面
(36)切欠き
(37)取付片
(38a)(38b)折曲部
(39)取付孔
(40)フランジ部
(40a)凹部
(41)段落ち部
(42)係止ピン
(43)基板
(44)窓孔
(45)切欠溝
(47)ねじ孔
(48)ボス
(50)係止板
(51)ねじ
(52)突部
(53)ねじ
(P1)(P2)点
(Ｏ)中心
(Ｌ)鉛直線
(L1)(L2)(L3)直線
(θ0) (θ1) (θ2) (θ3)角度
(θ4)微少角度
【図１】
2006006910.tif 000003
【図２】
2006006910.tif 000004
【図３】
2006006910.tif 000005
【図４】
2006006910.tif 000006
【図５】
2006006910.tif 000007
【図６】
2006006910.tif 000008
【図７】
2006006910.tif 000009
【図８】
2006006910.tif 000010
【図９】
2006006910.tif 000011
【図１０】
2006006910.tif 000012
【図１１】
2006006910.tif 000013
【図１２】
2006006910.tif 000014
【図１３】
2006006910.tif 000015